(57)【要約】【目的】本発明は簡単な構成で、垂直方向に曲げても自然短絡等の誤作動を生じないフィルムスイッチを新規に提供することを目的とするものである。【構成】本発明は弾力のある帯状の絶縁フィルムの長手方向の中間に２本一対のスイッチ回路を設け、該スイッチ回路の両側に一定の間隔を置いて交互に多数の翼片を一体形成し、該各翼片の内面に前記スイッチ回路を架橋短絡させるための架橋電極を設けるとともに前記のスイッチ回路上に電極間間隙を有せしめて折り重ねたことを特徴とするフィルムスイッチにある。【選択図】        図３
2004319356.tif 000002
【特許請求の範囲】
【請求項１】
弾力のある帯状の絶縁フィルムの長手方向の中間に２本一対のスイッチ回路を設け、該スイッチ回路の両側に一定の間隔を置いて交互に多数の翼片を一体形成し、該各翼片の内面に前記スイッチ回路を架橋短絡させるための架橋電極を設けるとともに、前記のスイッチ回路上に電極間間隙を有せしめて折り重ねたことを特徴とするフィルムスイッチ。
【請求項２】
各翼片は一側に相対翼片上に被さる突出部を設けて、該各翼片の立ち上がりを押えている請求項１記載のフィルムスイッチ。
【請求項３】
フィルムスイッチをゴム等の絶縁筒体、袋体などにて被覆する請求項１または２に記載のフィルムスイッチ。
【発明の詳細な説明】
【０００１】
【発明が属する技術分野】
この発明はフィルムスイッチに関するものである。
【０００２】
【従来の技術】
従来、フィルムスイッチは図９（ａ）に示すように絶縁フィルムを間隔を置いてｅ字状の三重体に折り重ね、上辺１と下辺２の内面に設けるスイッチ回路ａ，ｂを図９（ｂ）に示すように中辺３の孔４を挟んで押し短絡するように構成している。
【０００３】
【発明が解決しようとする課題】
このような構成ではフィルムスイッチを垂直方向に曲げたときに上片１に張力が発生して図９（ｃ）に示すように上下のスイッチ回路ａ，ｂが自然短絡して通電するという課題が生じ、また孔４のない部分を押したときにスイッチ回路が短絡しないという課題を生ずる。
【０００４】
【課題を解決するための手段】
本発明は弾力のある帯状の絶縁フィルムの長手方向の中間に２本一対のスイッチ回路を設け、該スイッチ回路の両側に一定の間隔を置いて交互に多数の翼片を一体形成し、該各翼片の内面に前記スイッチ回路を架橋短絡させるための架橋電極を設けるとともに前記のスイッチ回路上に電極間間隙を有せしめて折り重ねて構成して、かかる課題を解決するようにしたものである。
【０００５】
【発明の実施の形態】
図１乃至図４に示すようにＰＥＴなどの合成樹脂素材からなる弾力を有す帯状の絶縁フィルム５の長手方向の中間全長にアルミ箔，銅箔，導電インクなどによる２本一対のスイッチ回路ａ，ｂを設け、その両側に一定の間隔ｋを置いて交互に多数の翼片６，７を一体形成し、該各翼片６，７の内面の非長手方向にスイッチ回路ａ，ｂを架橋短絡する架橋電極ｃ，ｄ，ｅを設けて、各翼片６，７をスイッチ回路ａ，ｂ上に電極間間隙８を存せしめるようにして折り重ねて、以ってフィルムスイッチ９を構成するのである。
【０００６】
なお６ａ，７ａは各翼片６，７の一側に設けた突出部で、図２，図３に示すように相対翼片６，７上に被さって各翼片６，７立ち上がりを防止するようにしている。
【０００７】
本発明のフィルムスイッチ９は例えば翼片６，７の一つの上から加圧すると図４（ｂ）に示すように該翼片の内面の架橋電極ｃ，ｄ，ｅの全部または一部がスイッチ回路ａ，ｂに接してスイッチ回路ａ，ｂ間を架橋短絡して、この架橋短絡信号をスイッチ回路ａ，ｂに接続するリード線（図示してない）、またはスイッチ回路ａ，ｂ自身の端部から取り出すのである。
【０００８】
以上のように構成したフィルムスイッチは垂直方向に曲げる場合も図５に示すように曲げ張力を受ける上側の架橋電極を一定の間隔ｋを置いて交互に折り重ねた多数の翼片６，７の内面に分散させたことにより、張力の発生が抑えられて、スイッチ回路ａ，ｂとの間の電極間間隙８を維持してスイッチ回路の自然短絡が防止されることとなる。
【０００９】
図６はスイッチ回路ａ，ｂと架橋電極ｆ，ｇを別の形状で設けた例を示すもので、スイッチ回路ａ，ｂは交互に入り込み合う櫛歯形にして設け、架橋電極ｆ，ｇは櫛歯形のスイッチ回路ａ，ｂ間を架橋短絡するように長手方向に並列して設けたのである。なお架橋電極ｃ，ｄ，ｅおよびｆ，ｇは図６に示すように単一形の架橋電極ｈとすることもある。
【００１０】
なお本発明フィルムスイッチ９は加圧する荷重、加圧対象の形状、配線環境などによって、図８（ａ）（ｂ）に示すようにゴムなどの絶縁筒体や袋体１０ａ，１０ｂにて被覆して保護することができる。また筒体，袋体の両端部を封止することによって埃や水の侵入を防止することもできる。なお突出部６ａ，７ａの順次の被さりにより翼片６，７の立ち上がりを防止するようにしているので、絶縁筒体や袋体１０ａ，１０ｂによる被覆が整然とできることとなる。
【００１１】
【発明の効果】
本発明は絶縁フィルムが弾性を有すことと、スイッチ回路上に折り重ねた各翼片が元形に戻ろうとする反力の働きによって、スイッチ回路と各翼片の内面の架橋電極間の間隙が確実に保持されるという効果を生ずる。
【００１２】
本発明フィルムスイッチを垂直方向に曲げる場合も、曲げ張力を受ける上側の架橋電極を一定の間隔を置いて交互に一体形成する多数の翼片の内面に分散させたことにより、張力の発生が抑えられて、スイッチ回路との間の電極間間隙を維持してスイッチ回路を自然短絡することが生じないという効果を生ずる。
【００１３】
突出部が一側の相対翼片上に被さり翼片の立ち上がりを押えるようにしたので絶縁筒体や袋体による被覆を整然と行えるという効果を生ずる。
【００１４】
加圧対象に面する上側の架橋電極は各翼片の内面に個別に設けていて、スイッチ回路のように長手方向へのつながりがないから、万一一部の架橋電極が損傷等して欠けても全体のスイッチ機能は維持されるという効果を生ずる。
【００１５】
絶縁フィルムの一面に２本一対にてスイッチ回路を設けるので、信号取り出しのためのリード線の接続などが容易で、またスイッチ回路ａ，ｂ間の自然接触を防止する絶縁材も複雑な構造を要しないという効果を生ずる。
【図面の簡単な説明】
【図１】本発明フィルムスイッチの形成例の１例を翼片の折り重ね前の状態にて示す平面図
【図２】突出部が一側の相対翼片上に被さることにより翼片の立ち上がりを順次押えてゆく状態を示す斜視図
【図３】同、翼片を折り重ねた状態を示す部分平面図
【図４】（ａ）は図３Ａ−Ａ線矢視の拡大断面図、（ｂ）は同、加圧により架橋電極がスイッチ回路ａ，ｂ間に架橋してスイッチ作動する状態を示す断面図
【図５】垂直方向の曲げの状態を示す側面図
【図６】本発明フィルムスイッチの他の配線例を示す平面図
【図７】（ａ）（ｂ）各翼片の架橋電極を単一にて設けた例を示す平面図
【図８】（ａ）（ｂ）フィルムスイッチを絶縁筒体，袋体にて被覆した例を示す斜視図
【図９】従来例図
【符号の説明】
１は上辺
２は下辺
３は中辺
４は孔
５は絶縁フィルム
６，７は翼片
６ａ，７ａは突出部
８は電極間間隙
９はフィルムスイッチ
１０ａ，１０ｂは被覆用の絶縁筒体，袋体
ａ，ｂはスイッチ回路
ｃ，ｄ，ｅ，ｆ，ｇ，ｈは架橋電極
ｋは翼片間の間隔
【図１】
2004319356.tif 000003
【図２】
2004319356.tif 000004
【図３】
2004319356.tif 000005
【図４】
2004319356.tif 000006
【図５】
2004319356.tif 000007
【図６】
2004319356.tif 000008
【図７】
2004319356.tif 000009
【図８】
2004319356.tif 000010
【図９】
2004319356.tif 000011